(57)【特許請求の範囲】
【請求項１】
光照射を行った部分が前記光照射を行った部分以外の部分に比較して高反射率を呈する状態を作り出すLow to High(ＬｔｏＨ)記録方式を用い、
光記録媒体は複数の記録層を有し、前記複数の前記記録層を、前記光照射の前記光記録媒体における光の入射側に近い方から順に第１記録層、第２記録層として、前記光照射の光源部に最も遠い層を第ｎ記録層とし、前記第ｎ記録層から記録を開始して前記光照射から出た前記光が前記第ｎ記録層への記録が完了次第、前記第（ｎ−１）記録層に順次移る Back to Front方式（ＢｔｏＦ方式）を用いる光記録媒体であって、前記第１記録層は低反射率の未記録状態であり、
前記光の透過光成分が前記第１記録層を通過する追記型光記録媒体であって、光源から最も遠い記録層から記録開始する記録手順を示す情報が、蛇行案内溝に変調情報として形成されていることを特徴とする光記録媒体。
【発明の詳細な説明】
【技術分野】
【０００１】
本発明は、３層以上の記録層を含む多層構造を有する光記録媒体及び該光記録媒体に係る光記録方法、光情報処理装置、再生専用光記録媒体、再生専用装置に関する。
【背景技術】
【０００２】
近年、容量の大きいオーディオデータや画像／動画データを扱うようになり、一方、ハードディスクも大容量化が進み、ＣＤやＤＶＤ系、更には青色レーザを使用した光記録媒体においても、記録容量が不足してきている。
【０００３】
そこで、同一基板上に複数の記録層が積層されてなる多層式の光記録媒体技術が開発されている。この種類の媒体には、一度だけ記録できる追記型媒体と何度も記録・消去可能なオーバーライト型媒体があり、本発明は一度だけ記録できる追記型媒体に関するものである。
【０００４】
一般の追記型媒体は、レーザ照射の反射率の変化を記録原理として利用している。記録層材料の特性および薄膜の厚さ・光学特性を設計することにより、レーザ照射が行われた部分とそれ以外の部分での反射率の違いを情報として記録するものである。この際に、レーザ照射を行った部分がそれ以外の部分に比較し低反射を呈する状態を作り出すHigh to Low(以降、ＨｔｏＬと称す)方式とレーザ照射を行った部分がそれ以外の部分に比較して高反射率を呈する状態を作り出すLow to High(以降、ＬｔｏＨ)方式と呼ばれる２種類が知られている。
【０００５】
記録層を複数積層していくと、これら記録層のうち、レーザ入射面から遠い記録層に到達するレーザ光量が減少していく。このため、レーザ入射面から遠い記録層（光源から遠い側の記録層）に記録を行う際には、手前側に位置し先にレーザ光が通過していく記録層（光源に近い側の記録層）の反射率を出来るだけ低くしておくことが望ましい。
【０００６】
ＨｔｏＬ方式で使用する記録層の場合、レーザ照射を受けて情報が記録された後の該記録層の反射率が記録前の反射率より低くなるため、レーザ入射面から遠い記録層（光源から遠い側の記録層）を記録しようとする際には、先にレーザ光が通過する手前側の記録層の反射率がレーザ照射を受けて低くなるように予め記録済みとしておくことが望ましい。
【０００７】
一方、ＬｔｏＨ方式の場合、ＨｔｏＬ方式とは逆にレーザ照射を受けて情報が記録された後の該記録層の反射率が記録前の反射率より高くなるため、レーザ入射面から遠い記録層（光源から遠い側の記録層）を記録しようとする際には、レーザ光が通過する手前側の記録層の反射率が低いままであるように、つまり、以前にレーザ照射を受けたことがなく記録がされていない状態としておくことが望ましい。
【０００８】
従来の２層ＤＶＤ媒体では、ＨｔｏＬ方式が用いられているが、レーザ入射面から近い方の記録層からの記録が行われている。これは、上記した相応しい記録手順とは逆になっているが、レーザ入射面から遠い記録層を記録する際にレーザ光が通過する層が１層しかないため、レーザ光の減衰はほとんど問題とならないためである。３層以上の記録層を含むなど、多層になればなるほどレーザ光量の低下問題が顕著となり、記録手順が重要となってくる。
【０００９】
多層型の記録媒体では、ＨｔｏＬ方式とＬｔｏＨ方式とで最適な記録手順が異なっている。仮に記録手順を決められてしまうと、おのずから最適な記録方式(ＨｔｏＬ方式あるいはＬｔｏＨ方式のどちらかの選択肢)が決まってしまうため、媒体を提供するものにとって非常に大きい制約事項となる。記録手順に係る先行技術文献としては、次のものが知られている。
【００１０】
（先行技術１）
基板上に凹凸ピット、層の形状変化、光学定数の変化、磁気光学効果の何れかにより生起される一定の反射、吸収または回折を伴う波長選択性の小さい薄膜を含む複数の記録層を備え、前記複数の記録層の層間距離を前記記録部材の面方向で略一定に保つ光学的に透明な分離層を備え、前記複数の記録層の状態を識別する管理情報を前記記録部材の前記光源に最も近い記録層上に設けた光学情報記録部材（特許文献１参照）。
【００１１】
特許文献１では、「課題を解決するための手段」の欄に、「記録部材の特定の部分に各記録層に対応させた再生パワーの管理領域を設ける。情報の再生時には管理領域からの信号に応じて再生パワーを制御する。また、信号の記録時には、光ビームの入射側に対し最も離れた記録層の一端から順次記録を行う。あるいは、光記録部材からの反射光量に応じて記録パワーを制御する。」との記載がある。また、実施例１の後段には「本発明においては、記録層の特定の位置、例えば第１層のデータ記録領域の外側にディスクの管理領域を設け、光ディスクのデータ記録履歴を管理する。管理情報に従ってデータの記録開始点を、光の入射側に対し最も離れた位置にある記録層から順次記録する方法をとる。」との記載がある。
【００１２】
（先行技術２）
光入射面から見て内側の記録層から外側の記録層に情報が順次記録される構成を有することを特徴とする光記録媒体、及び、積層された複数の記録層を有する光記録媒体の片側の面から光を入射して、選択した記録層に対して情報の記録・再生を行う光記録再生装置において、前記光記録媒体の光入射面から見て手前側の記録層から奥側の記録層へ順に情報を記録することを特徴とする光記録再生装置（特許文献２参照）。
【００１３】
先行技術２では、段落００１６に「従来技術の項に述べた通り、光ディスクの入射方向から見て手前側すなわち第１記録層１２が未記録の場合と記録後の場合とでは光の透過率が異なり、これが混在すれば奥側すなわち第２記録層１３の記録および再生の信頼性が損なわれる。」とある。
【００１４】
光記録媒体等の記録手順に関し、先行技術１では「光ビームの入射側に対し最も離れた記録層の一端から順次記録を行う」とされ、先行技術２では「光記録媒体の光入射面から見て手前側の記録層から奥側の記録層へ順に情報を記録する」とある通り、相反する２つの記録手順が開示されている。
【００１５】
これらの先行技術１、２の中、先行技術１は、前記相反する２つの記録手順の一方について、その光記録媒体に適する記録手順で記録することを開示し、先行技術２は、前記相反する２つの記録手順の他方について、その光記録媒体に適する記録手順で記録することを開示しているにすぎない。
【００１６】
一方、市場でこれら相反する２つの記録手順を有する光記録媒体が並行して流通する状況では、ユーザの立場からすると、これらの光記録媒体の何れに対しても光パワーの大幅な制御をすることなく良好な記録状態で情報を記録し、また、その記録情報を再生可能であることが記録、再生システムの共有化の観点では好ましい。
【００１７】
【特許文献１】特許第２９２８２９２号公報
【特許文献２】特開２０００−２８５４６９号公報
【発明の開示】
【発明が解決しようとする課題】
【００１８】
本発明はその記録媒体に適した記録手順が適用されるように処理された光記録媒体を提供することを目的とする。
【課題を解決するための手段】
【００１９】
前記課題を達成するため請求項１に係る発明は、光照射を行った部分が前記光照射を行った部分以外の部分に比較して高反射率を呈する状態を作り出すLow to High(ＬｔｏＨ)記録方式を用い、
光記録媒体は複数の記録層を有し、前記複数の前記記録層を、前記光照射の前記光記録媒体における光の入射側に近い方から順に第１記録層、第２記録層として、前記光照射の光源部に最も遠い層を第ｎ記録層とし、前記第ｎ記録層から記録を開始して前記光照射から出た前記光が前記第ｎ記録層への記録が完了次第、前記第（ｎ−１）記録層に順次移る Back to Front方式（ＢｔｏＦ方式）を用いる光記録媒体であって、前記第１記録層は低反射率の未記録状態であり、
前記光の透過光成分が前記第１記録層を通過する追記型光記録媒体であって、光源から最も遠い記録層から記録開始する記録手順を示す情報が、蛇行案内溝に変調情報として形成されている光記録媒体とした。
【発明の効果】
【００２０】
請求項１記載の発明では、記録に用いるレーザ光量を大きく利用することができる光記録媒体について、その光記録媒体に適する記録手順で情報の記録を行うことが可能となる。
【発明を実施するための最良の形態】
【００２１】
以下、図面を参照しつつ、この発明の実施の形態につき説明する。
[１]光記録媒体の性質
（１．１）ＨｔｏＬ  記録方式
図１は、光源を有するレーザ光源部１に最も近い下から順に第１記録層、第２記録層、第３記録層、第４記録層の４層からなる光記録媒体による光ディスク７の例で、ＨｔｏＬ記録方式を用いた際のレーザ光の記録層に対する透過光、反射光が記録部分と未記録部分とで異なることを説明している。
【００２２】
図１に示した例では、第１記録層の内周側から約半分が、記録済みの記録部分となっていて情報が記録されている。内周側の記録部分では、外周側の未記録部分より反射率が低下する。内周側の記録部分に着目すると、模視的に三角形で示した入射レーザ光Ｌの光量のうち、第１記録層で反射される反射光Ｌ１と、第１記録層を透過する透過光Ｌ２との光量比率は透過光Ｌ２が大である。
【００２３】
つまり、奥側（第２記録層側）に到達するレーザ光量が手前側（第１記録層）で反射されるレーザ光量よりも大きくなる。このように、第１記録層を記録済みとしたことで、奥側の第２記録層の記録に利用できるレーザ光量を大きくすることができる。したがって、光源から遠い奥側の記録層（第２記録層乃至第４記録層）に記録するためには、光源に近い手前側の記録層（第１記録層）を予め記録済みにし、この記録済みの層を通して光源から遠い奥側の記録層を記録することが望ましい。
【００２４】
上記とは逆に外周側の未記録部分では、内周側の未記録部分より反射率が大となる。外周側の未記録部分に着目すると、模視的に三角形で示した入射レーザ光Ｌの光量のうち、第１記録層で反射される反射光Ｌ１と、第１記録層を透過する透過光Ｌ２との光量比率は反射光Ｌ１が大である。つまり、反射光Ｌ１に比べて奥側（第２記録層側）に到達する透過光Ｌ２のレーザ光量が小さくなることから、未記録部分を通して光源から遠い奥側の記録層を記録することは好ましくないといえる。
【００２５】
（１．２）ＬｔｏＨ  記録方式
図２は、光源を有するレーザ光源部１に最も近い下から順に第１記録層、第２記録層、第３記録層、第４記録層の４層からなる光記録媒体による光ディスク７の例で、ＬｔｏＨ記録方式を用いた際のレーザ光の記録層に対する透過光、反射光が記録部分と未記録部分とで異なることを説明している。
【００２６】
図２に示した例では、第１記録層の内周側から約半分が、記録済みの記録部分となっていて情報が記録されている。内周側の記録部分では、外周側の未記録部分より反射率が上昇する。内周側の記録部分に着目すると、模視的に三角形で示した入射レーザ光Ｌの光量のうち、第１記録層で反射される反射光Ｌ１と、第１記録層を透過する透過光Ｌ２との光量比率は反射光Ｌ１が大である。
【００２７】
つまり、奥側（第２記録層側）に到達するレーザ光量が手前側（第１記録層）で反射されるレーザ光量よりも小さくなる。このように、第１記録層を記録済みとしたことで、奥側の第２記録層の記録に利用できるレーザ光量が小さくなってしまう。したがって、光源から遠い奥側の記録層（第２記録層乃至第４記録層）に記録するためには、光源に近い手前側の記録層（第１記録層）を未記録のままとし、この未記録の層を通して光源から遠い奥側の記録層を記録することが望ましい。
【００２８】
上記とは逆に外周側の未記録部分では、内周側の記録部分より反射率が小となる。外周側の未記録部分に着目すると、模視的に三角形で示した入射レーザ光Ｌの光量のうち、第１記録層で反射される反射光Ｌ１と、第１記録層を透過する透過光Ｌ２との光量比率は透過光Ｌ２が大である。つまり、反射光Ｌ１に比べて奥側（第２記録層側）に到達する透過光Ｌ２のレーザ光量が大きくなることから、未記録部分を通して光源から遠い奥側の記録層を記録することは好ましいといえる。
【００２９】
以上述べたように、ＨｔｏＬ記録方式とＬｔｏＨ記録方式とでは、最適な記録手順が異なっている。次にそれぞれの記録方式に最適な記録手順を説明する。
【００３０】
[２]相反する記録手順、再生手順
（２．１）ＨｔｏＬ記録方式を用いた光記録媒体での最適な記録手順
図３は、４層からなるＨｔｏＬ記録方式を用いた光記録媒体による光ディスク７の最適な記録手順を示したものである。記録層の番号は、ここでは便宜上、レーザ光源部１に近い方、つまり、レーザ光入射側に近い方から順に第１記録層、第２記録層、第３記録層、第４記録層としている。
【００３１】
本例はレーザ光源部１に最も近い第１記録層から記録を開始する方式であり、光源部１から出た入射レーザ光Ｌは、該第１記録層への記録が完了次第、矢印２、３で示すように奥側の記録層への記録に移っていく。以下、この方式をＦｔｏＢ方式(Front to Back方式)と呼ぶ。これにより、より光源部１から遠い記録層に記録を行う際には、入射レーザ光Ｌが通過しなければならない光源部１に近い記録層は記録済みとなっているので、これにより、低反射率となった記録層を入射レーザ光Ｌの透過光成分が通過することになり、記録に用いるレーザ光量を大きく利用することができる。
【００３２】
このようにＨｔｏＬ記録方式を用いた光記録媒体についてＦｔｏＢ方式で記録を行った媒体については、再生に際しても、記録時と同じＦｔｏＢ方式で再生することになる。
【００３３】
（２．２）ＬｔｏＨ記録方式を用いた光記録媒体での最適な記録手順
図４は、４層からなるＬｔｏＨ記録方式を用いた光記録媒体による光ディスク７の最適な記録手順を示したものである。記録層の番号は、図３におけると同様、レーザ光源部１に近い方、つまり、レーザ光入射側に近い方から順に第１記録層、第２記録層、第３記録層、第４記録層としている。
【００３４】
本例はレーザ光源部１に最も遠い第４記録層から記録を開始する方式であり、光源部１から出た入射レーザ光Ｌは、第４記録層への記録が完了次第、矢印４、５で示すように手前側の記録層への記録に移っていく。以下、この方式をＢｔｏＦ方式(Back to Front方式)と呼ぶ。
【００３５】
これにより、より光源部１から遠い記録層に記録を行う際には、光源部１に近い記録層は低反射率の未記録状態であり、この低反射率の記録層を入射レーザ光Lの透過光成分が通過することになり、記録に用いるレーザ光量を大きく利用することができる。
【００３６】
このようにＬｔｏＨ記録方式を用いた光記録媒体についてＢｔｏＦ方式で記録を行った媒体については、再生に際しても、記録時と同じＢｔｏＦ方式で再生することになる。
【００３７】
[３]光情報処理装置
３層以上の記録層を含む多層構造を有する追記型光記録媒体に対してレーザ光により記録、再生が可能な光情報処理装置を図５に例示する。
図５において、軸部６には３層以上の記録層を含む多層構造を有する追記型光記録媒体、本例では第１記録層〜第４記録層までの４層の記録層を有する円盤状をした追記型光記録媒体である光ディスク７がその中心穴を嵌合することにより着脱可能に装着されている。
【００３８】
光ディスク７の下方には光源部１が配置されている。光源部１は、図示しない駆動手段により追記型光記録媒体７の半径方向である内周側と外周側との間を駆動走査されるようになっている。
【００３９】
光源部１は、光ディスク７上に信号を記録、或いは記録された信号を再生するための光源としての半導体レーザ９、コリメートレンズ１０、ビームスプリッタ１１、対物レンズ１２、コリメートレンズ１３、受光部１４等を有する。なお、図示していないが、ビームスプリッタ１１と対物レンズ１２との間には１/４波長板が介在される。
【００４０】
コントローラ１５は記録、再生に係る機械的、光学的部材の駆動制御、記録、再生情報の処理等を行う。記録に際して、記録情報はコントローラ１５より出力されて記録手段１６で変調信号となり半導体レーザ９を駆動する。半導体レーザ９より出力されたレーザビームはコリメートレンズ１０で平行光に変えられ、ビームスプリッタ１１を通過し、対物レンズ１２（及び１／４波長板）を経て所定の記録層に集光され情報の記録がなされる。その際、同時にサーボ制御手段１７によりモータＭが駆動されて軸部６が回転されると共にレーザ光源部１が光ディスク７の半径方向に適宜駆動され、また、対物レンズ１２の支持部が駆動されて所定の記録層に対するレーザビームの焦点が定まる。
【００４１】
再生に際して、所定の記録層を照射した反射光は対物レンズ１２（及び１／４波長板）を経、ビームスプリッタ１１により光路が変えられて受光部１４に至り、光電変換され、さらに再生手段１８により再生信号に変えられてコントローラ１５に出力される。
【００４２】
[４]光記録媒体
本発明は、光源に最も近い記録層から記録開始することが適する光記録媒体、光源から最も遠い記録層から記録開始することが適する光記録媒体のそれぞれに適した記録又は再生の手順が適用される光記録媒体を提供するものである。
【００４３】
このため、３層以上の記録層を含む多層構造を有し、光記録の対象となる追記型光記録媒体であって、光源に最も近い記録層から記録開始したか、光源から最も遠い記録層から記録開始したかの記録手順を情報として該追記型光記録媒体に格納することとしている。
３層以上としたのは、背景技術の欄でも述べた通り、３層以上の記録層を含むなど、多層になればなるほどレーザ光量の低下問題が顕著となり、記録手順がその光記録媒体に適していることが重要となってくるからである。また、追記型としたのは、記録が光源に最も近い記録層或いは光源から最も遠い記録層の何れかから順に行われる場合に限り、光パワーの大幅な制御をすることなく良好な記録状態で情報を記録し、また、その記録情報を再生することが可能だからである。
【００４４】
記録媒体の反射率などの光学的な特性は、媒体に使用される材料等に依存し、媒体の提供者の設計によって大きく異なってくる。一方、一般に光記録媒体は記録手順についてはフォーマットと呼ばれる規格によって定められるため、一旦規格が決められるとＬｔｏＨ／ＨｔｏＬなどの光学的特性の設計の自由度が非常に狭められることになる。
【００４５】
本例のように、光源に最も近い記録層から記録開始することが適する光記録媒体、光源から最も遠い記録層から記録開始することが適する光記録媒体、のそれぞれに適した記録又は再生の手順を情報として光記録媒体に格納することにより、フォーマットで規定される記録手順にも自由度を持たせ、それにより媒体設計の制約を少なくできることも可能である。
【００４６】
光情報処理装置の一つである記録装置を用いて光記録媒体に記録を実行する際には、記録装置が予め光記録媒体としてのディスク上に記されている記録に必要なパワー、記録ストラテジなどの属性情報を読み出し、記録を準備する必要がある。この属性情報は、記録媒体上の所定の場所に読み出し専用情報として配置されている。一般的には、媒体内周側のピット情報として、または、蛇行した案内溝に変調された情報として埋め込むようにする。
【００４７】
以下の例では、これらの属性情報に、レーザ入射側に近い記録層から記録を行う（ＦｔｏＢ方式)なのか、あるいは入射側から遠い記録層から記録を行う(ＢｔｏＦ方式)なのかに関する記録手順の情報を含めている。
【００４８】
（４．１）例１
本例は、３層以上の記録層を含む多層構造を有し、光記録の対象となる追記型光記録媒体について、光源に最も近い記録層から記録開始するか、光源から最も遠い記録層から記録開始するかの記録手順を示す情報が、ピット情報として当該光記録媒体に形成されている場合である。
【００４９】
図６に示したのは、第１記録層から第４記録層までの４層からなるＨｔｏＬ記録方式を用いた光記録媒体による光ディスク７であり、記録手順を含む属性情報がディスク内周側に配置されたピット情報として管理領域１９中にある例を示す。
【００５０】
管理領域１９にはバイト単位で情報が記載されており、本例では所定のバイト位置にある１バイト情報を利用する。媒体がＨｔｏＬ記録方式であるため、記録手順は光源（レーザ入射側）から最も近い記録層から記録を行うＦｔｏＢ方式が最適である。このため、管理領域１９にある該バイト位置にある情報には、ＦｔｏＢ方式を示す「00000000b」が入れられている。
【００５１】
図５で説明した光情報処理装置を用いて情報を記録する場合であれば、軸部６に図６に示した光記録媒体を装着し、記録に先立ち、管理領域１９の情報を、受光部１４、再生手段１８を経てコントローラ１５で読み取る。この読み取りにより、最適な記録手順が光源（レーザ入射側）から最も近い記録層から記録を開始するＦｔｏＢ方式であることを認識し、第１記録層から記録を開始する。
【００５２】
一方、図７に示したのは、第１記録層から第４記録層までの４層からなるＬｔｏＨ記録方式を用いた光記録媒体による光ディスク７であり、記録手順を含む属性情報が第１記録層のディスク内周側に配置されたピット情報として管理領域１９中にある例を示す。
【００５３】
管理領域１９にはバイト単位で情報が記載されており、本例では所定のバイト位置にある１バイト情報を利用する。媒体がＬｔｏＨ記録方式であるため、記録手順は光源（レーザ入射側）から最も遠い記録層から記録開始するＢｔｏＨ方式が最適である。このため、管理領域にある該バイト位置にある情報には、ＢｔｏＦ方式を示す「00000001b」が入れられている。
【００５４】
図５で説明した光情報処理装置を用いて情報を記録する場合であれば、軸部６に図７に示した光記録媒体を装着し、記録に先立ち、管理領域１９の情報を、受光部１４、再生手段１８を経てコントローラ１５で読み取る。この読み取りにより、最適な記録手順が光源（レーザ入射側）から最も遠い記録層から記録を開始するＢｔｏＦ方式であることを認識し、第４記録層から記録を開始する。
【００５５】
このように、相反する記録手順の特性を有する何れの光記録媒体に対しても、ピット情報を読み取ることができる共通の光情報処理装置等、記録機能を有するシステムを用いて、その光記録媒体に適する記録手順で情報の記録を行うことが可能となる。
【００５６】
（４．２）例２
本例は、３層以上の記録層を含む多層構造を有し、光記録の対象となる追記型光記録媒体であって、光源に最も近い記録層から記録開始するか、光源から最も遠い記録層から記録開始するかの記録手順を示す情報が、蛇行案内溝に変調情報として形成されている例である。
【００５７】
図８に示したのは、第１記録層から第４記録層までの４層からなるＨｔｏＬ記録方式を用いた光記録媒体による光ディスク７であり、記録手順を含む属性情報が蛇行した案内溝２０に変調して埋め込まれている。蛇行した案内溝２０の変調情報にはバイト単位で情報が記載されており、本例では所定のバイト位置にある１バイト情報を利用する。
【００５８】
光記録媒体がＨｔｏＬ記録方式であるため、記録手順は光源（レーザ入射側）から最も近い記録層である第１記録層から記録を行うＦｔｏＢ方式が最適である。このため、管理領域にある該バイト位置にある情報には、ＦｔｏＢ方式を示す「0000000b」が入れられている。
【００５９】
図５で説明した光情報処理装置を用いて情報を記録する場合であれば、軸部６に図８に示した光記録媒体を装着し、記録に先立ち、管理領域１９の情報を、受光部１４、再生手段１８を経てコントローラ１５で読み取る。この読み取りにより、最適な記録手順が光源（レーザ入射側）から最も近い記録層から記録を開始するＦｔｏＢ方式であることを認識し、第１記録層から記録を開始する。
【００６０】
一方、図９に示したのは、第１記録層から第４記録層までの４層からなるＨｔｏＬ記録方式を用いた光記録媒体による光ディスク７であり、記録手順を含む属性情報が蛇行した案内溝２０に変調して埋め込まれている。蛇行した案内溝２０の変調情報にはバイト単位で情報が記載されており、本例では所定のバイト位置にある１バイト情報を利用する。
【００６１】
光記録媒体がＨｔｏＬ記録方式であるため、記録手順は光源（レーザ入射側）から最も遠い記録層から記録開始するＢｔｏＨ方式が最適である。このため、管理領域にある該バイト位置にある情報には、ＢｔｏＦ方式を示す「00000001b」が入れられている。
【００６２】
図５で説明した光情報処理装置を用いて情報を記録する場合であれば、軸部６に図９に示した光記録媒体を装着し、記録に先立ち、管理領域１９の情報を、受光部１４、再生手段１８を経てコントローラ１５で読み取る。この読み取りにより、最適な記録手順が光源（レーザ入射側）から最も遠い記録層から記録を開始するＢｔｏＦ方式であることを認識し、第４記録層から記録を開始する。
【００６３】
このように、相反する記録手順の特性を有する何れの光記録媒体に対しても、蛇行案内溝２０の情報を読み取ることができる共通の光情報処理装置等、記録機能を有するシステムを用いて、その光記録媒体に適する記録手順で情報の記録を行うことが可能となる。
【００６４】
（４．３）例３
上記（４．１）乃至（４．２）のように記録された光記録媒体には、記録手順に応じてＦｔｏＢ方式とＢｔｏＦ方式の２種類の記録状態が存在することになる。記録を再生（読み出し）する際には、記録手順に応じて、再生の手順も変える必要がある。すなわち、ＦｔｏＢ方式で記録された光記録媒体はＦｔｏＢ方式で読み出し、ＢｔｏＦ方式で記録された光記録媒体はＢｔｏＦ方式で読み出す必要がある。従って、何れの再生手順で読み出すのかという情報を再生装置側に提供する必要がある。
【００６５】
そこで、本例では、３層以上の記録層を含む多層構造を有し、光記録の対象となる追記型光記録媒体であって、光源に最も近い記録層から再生開始するか、光源から最も遠い記録層から再生開始するかの再生手順を、当該光記録媒体に設定された、読取専用機が読める情報領域の情報の一部として格納することとした。このような情報の格納する手段としては、前記図５で説明した光情報処理装置を用い、コントローラ１５からの指示により後述の所定領域（Lead-in領域）に後述の所定の情報（「00000000b」又は「00000001b」）を格納する。
【００６６】
再生専用装置は、記録装置とは異なり、蛇行案内溝を読み出すことが一般に出来ない。このため、蛇行案内溝に変調して埋め込まれた記録手順を再生手順としてそのまますることが期待できない。
【００６７】
一方、光記録媒体には、Lead-in領域と呼ばれる別の管理領域が用意されており、記録状態やフォーマット情報などが履歴として記録できるようになっている。本例では、Lead-in領域と呼ばれる別の管理領域を、読取専用機が読める情報領域の情報の一部としてこのLead-in領域に読み出し手順を記録するものであり、所定のバイト位置に、読み出し手順を示す１バイトの情報を記録して再生時に利用する。
【００６８】
図１０に示したのは、第１記録層から第４記録層までの４層からなるＨｔｏＬ記録方式を用いて記録した光記録媒体による光ディスク７であり、管理領域１９とは別のLead-in領域２１の所定のバイト位置に、読み出し手順がＦｔｏＢであることを示す「00000000b」が記録されている。
【００６９】
図１０に示した光記録媒体が装着された再生専用装置は、挿入された光記録媒体のLead-in領域２１から読み出し手順に関する情報を取得し、その結果、ＦｔｏＢ読み出し方式により再生を開始する。
【００７０】
図１１に示したのは、第１記録層から第４記録層までの４層からなる４層からなるＬｔｏＨ記録方式を用いて記録した光記録媒体であり、管理領域１９とは別のLead-in領域２１の所定のバイト位置に、読み出し手順がＢｔｏＦであることを示す「00000001b」が記録されている。
【００７１】
同様に、図１１に示した光記録媒体による光ディスク７が装着された再生専用装置は、挿入された光記録媒体のLead-in領域２１から読み出し手順に関する情報を取得し、その結果、ＦｔｏＢ読み出し方式により再生を開始する。
【００７２】
こうして、相反する再生手順の特性を有する何れの光記録媒体に対しても共通の読取専用機等、読取機能を有するシステムを用いて、その光記録媒体に設定された再生手順に従い、情報の再生を行うことが可能となる。本例では、Lead-in領域２１が光源（レーザ入射側）に近い第１記録層に配置されているが、これに限るものではなく、どの記録層に配置されていても良いものとする。
【００７３】
[５]再生専用光記録媒体、再生専用装置
また、本発明は多層型の再生専用光記録媒体に関してもその読み出し手順を提供する。すなわち、３層以上の記録層を含む多層構造を有する再生専用光記録媒体であって、光源に最も近い記録層から再生開始するか、光源から最も遠い記録層から再生開始するかの再生手順を再生専用光記録媒体上に情報として格納することにより、再生手順を規定する。
【００７４】
再生専用光記録媒体は、レーザ照射を受けて形態、物性等の変化を生じさせて情報を記録するタイプ以外に、成型加工等を利用してピットや案内溝等を形成する方法により量産されるようなディスクを含む。
【００７５】
再生専用光記録媒体に格納される再生手順に係る情報は、再生専用光記録媒体に設定された、読取専用機が読める情報領域つまり、Lead-in領域２１の情報の一部として格納することも可能である。再生専用光記録媒体であっても再生に係る読み出し手順をＦｔｏＢ方式あるいはＢｔｏＦ方式とすることで、その手順に関する情報をLead-in領域に格納しておくのである。
【００７６】
また、再生専用光記録媒体の記録情報を再生する再生専用装置は、図５に示した記録及び再生が可能な光情報処理装置とは異なり、情報の記録は行わず、再生を専用とする目的で作製された装置であり、かかる再生専用装置は、挿入された光記録媒体のLead-in領域から読み出し手順に関する情報を取得し、ＢｔｏＦ、ＦｔｏＢ等、の読み出し方式により再生を開始する。こうして、再生専用媒体からLead-in領域２１の情報の一部として格納された情報を読み出すことにより、その光記録媒体に適した記録手順で記録された情報を、同じ手順である読み出し手順により再生する。
【００７７】
[６]光記録方法
図５に示した光情報処理装置は、３層以上の記録層を含む多層構造を有する追記型光記録媒体に対して光を用いて記録する光記録方法であって、前記追記型光記録媒体に格納されている、光源に最も近い記録層から記録開始するか、光源から最も遠い記録層から記録開始するかの記録手順を読み取る工程と、この記録手順を判断する工程と、この判断結果に従い、追記型光記録媒体に対して光記録を行う工程を有する光記録方法を実行する装置の一例である。
【００７８】
図５におけるコントローラ１５は、図１２に示したフローチャートに従い、ディスク７に対して、このディスク７に指示された記録開始手順に従う記録を実行する。ディスク７として装着される光記録媒体としては、前記[４]光記録媒体の欄で説明した各種の光記録媒体が対象となる。
【００７９】
図１２に示したフローチャートにおいて、ステップＰ‐１では、装着されたディスク７における管理領域１９、案内溝２０、Lead-in領域２１等の情報の読み取りがなされる。読み取られた情報はステップＰ‐２で記録開始手順としてＦｔｏＢが指示されているか、それともＢｔｏＦが指示されているかが判断される。ＦｔｏＢが指示されていると判断されれば、ステップＰ‐３においてＦｔｏＢ方式による記録が実行され、ＢｔｏＦが指示されていると判断されれば、ステップＰ‐４においてＢｔｏＦ方式による記録が実行される。
【００８０】
これにより、相反する記録手順の特性を有する光記録媒体に対し、その光記録媒体に適する記録手順により情報の記録を行うことが可能である。なお、図５に示した光情報処理装置は、コントローラ１５に指示プログラムを設定することにより、装着される光ディスク７の光記録媒体特性に応じて、管理領域１９、案内溝２０、Lead-in領域２１等に、ＦｔｏＢ又はＢｔｏＦの記録手順の指示情報を格納することも可能である。
【図面の簡単な説明】
【００８１】
【図１】ＨｔｏＬ特性の多層の光記録媒体に対するレーザ光の透過光、反射光の比率を模視的に説明した図である。
【図２】ＬｔｏＨ特性の多層の光記録媒体に対するレーザ光の透過光、反射光の比率を模視的に説明した図である。
【図３】ＦｔｏＢ方式の記録手順による記録状態を模視的に説明した図である。
【図４】ＢｔｏＦ方式の記録手順による記録状態を模視的に説明した図である。
【図５】光情報処理装置の概略構成図である。
【図６】ＦｔｏＢ方式の記録手順をピット情報として管理領域に格納することを模視的に説明した図である。
【図７】ＢｔｏＦ方式の記録手順をピット情報として管理領域に格納することを模視的に説明した図である。
【図８】ＦｔｏＢ方式の記録手順を案内溝に格納することを模視的に説明した図である。
【図９】ＢｔｏＦ方式の記録手順を案内溝に格納することを模視的に説明した図である。
【図１０】ＦｔｏＢ方式の記録手順をLead-in領域に格納することを模視的に説明した図である。
【図１１】ＢｔｏＦ方式の記録手順をLead-in領域に格納することを模視的に説明した図である。
【図１２】記録手順にかかるフローチャートである。
【符号の説明】
【００８２】
１  レーザ光源部
２、３、４、５  矢印
６  軸部
７  光ディスク
９  半導体レーザ
１０  コリメートレンズ
１１  ビームスプリッタ
１２  対物レンズ
１３  コリメートレンズ
１４  受光部
１５  コントローラ
１６  記録手段
１７  サーボ制御手段
１８  再生手段
１９  管理領域
２０  案内溝
２１  Lead-in領域
【図１】
0005034051.tif 000002
【図２】
0005034051.tif 000003
【図３】
0005034051.tif 000004
【図４】
0005034051.tif 000005
【図５】
0005034051.tif 000006
【図６】
0005034051.tif 000007
【図７】
0005034051.tif 000008
【図８】
0005034051.tif 000009
【図９】
0005034051.tif 000010
【図１０】
0005034051.tif 000011
【図１１】
0005034051.tif 000012
【図１２】
0005034051.tif 000013